(57)【特許請求の範囲】
【請求項１】
固定盤；
この固定盤に対し回動操作可能に支持された回転操作部材；
上記固定盤に、回転操作部材の回転中心を中心とする同一円周上に位置させて透光性材料により形成した複数の表示記号；及び
上記回転操作部材上に固定され、該回転操作部材の回転位置に応じ、上記固定盤上の複数の表示記号を背面から択一して照明する単一の発光部材；
を備えたことを特徴とする照明付表示ダイヤル装置。
【請求項２】
請求項１記載の照明付表示ダイヤル装置において、固定盤は、回路基板に固定された台座に固定されており、回転操作部材は、固定盤と台座の間で固定盤に対し回動操作可能に支持されている照明付表示ダイヤル装置。
【請求項３】
請求項１または２記載の照明付表示ダイヤル装置において、固定盤は、複数の表示記号に対応する位置に開口部を有する穴あき盤と、この穴あき板の各開口部上に位置する表示記号を描いた表示板とからなっている照明付表示ダイヤル装置。
【請求項４】
請求項１から３のいずれか一項記載の照明付表示ダイヤル装置において、回転操作部材の裏面には、該回転操作部材の回転位置を検出するコード板が固定されている照明付表示ダイヤル装置。
【請求項５】
請求項４記載の照明付表示ダイヤル装置において、発光部材は、環状をなすコード板の表面の偏心位置に固定されており、回転操作部材には、このコード板の発光部材に対応する位置に透光穴が穿設されている照明付表示ダイヤル装置。
【請求項６】
請求項１から５のいずれか一項記載の照明付表示ダイヤル装置において、発光部材は、単体で一色または複数色の照明光を発する照明付表示ダイヤル装置。
【請求項７】
請求項６記載の照明付表示ダイヤル装置において、発光部材は、ＬＥＤである照明付表示ダイヤル装置。
【請求項８】
請求項１から７のいずれか一項記載の照明付表示ダイヤル装置において、固定盤と台座に、押しボタンの軸部を挿通する軸穴と、係止爪を挿通する挿通孔とをそれぞれ穿設し、回路基板上にスイッチ装置を配置して、回転操作部材の回転中心に押しボタンスイッチ装置を装着した照明付表示ダイヤル装置。
【発明の詳細な説明】
【０００１】
【発明の技術分野】
本発明は、照明付表示ダイヤル装置に関する。
【０００２】
【従来技術およびその問題点】
本出願人は、撮影モードを選択するダイヤル装置として、選択した表示記号を発光表示する照明付表示ダイヤル装置を備えたカメラを開発発売した（商品名『ＭＺ７』）。この照明付表示ダイヤル装置は、固定盤に固定された表示板に複数の透光性の表示記号を描き、各表示記号の下面に、発光部材としてＬＥＤをそれぞれ固定し、固定盤に対して回動操作可能に支持された回転操作部材の指標が指し示す表示板の表示記号を、ＬＥＤによる背面からの照明で発光表示する。
【０００３】
しかし、固定盤に固定された表示盤にＬＥＤを固定する従来の照明付表示ダイヤル装置では、発光表示したい表示記号の数だけＬＥＤが必要となり、構成の簡素化およびコストの両面においてマイナスである。
【０００４】
【発明の目的】
本発明は以上の問題に基づきコストダウンにつながる構成の簡素化がなされた照明付表示ダイヤル装置を得ることを目的とする。
【０００５】
【発明の概要】
本発明の照明付表示ダイヤル装置は、固定盤；この固定盤に対し回動操作可能に支持された回転操作部材；上記固定盤に、回転操作部材の回転中心を中心とする同一円周上に位置させて透光性材料により形成した複数の表示記号；及び上記回転操作部材上に固定され、該回転操作部材の回転位置に応じ、上記固定盤上の複数の表示記号を背面から択一して照明する単一の発光部材；を備えたことを特徴としている。
【０００７】
固定盤は、例えば複数の表示記号に対応する位置に開口部を有する穴あき盤と、この穴あき盤の各開口部上に位置する表示記号を描いた表示板とから構成することができる。
【０００８】
発光部材は、例えば、回転操作部材の回転位置を検出する環状をなすコード板の表面の偏心位置に固定することができる。この態様では、回転操作部材の、この発光部材に対応する位置に透光穴を穿設することによって発光部材が固定されたコード板を、回転操作部材の裏面に固定することができる。
【０００９】
発光部材が発した照明光は、回転操作部材の透光穴と穴あき盤の開口部を通過して、表示板の表示記号を背面から照明する。表示板の表示記号は透光性材料で形成されているため照明光を透過する。このため背面からの照明で表示記号を発光表示することが可能となる。
【００１０】
発光部材として単体で複数色を発色するＬＥＤを使用する事によって、選択する表示記号に応じて照明光の色を変えることが可能となり識別性と視認性が向上する。
【００１１】
ダイヤル装置の回転中心に押しボタンスイッチ装置を装着する構成としたため操作性が向上しカメラ上壁のスペースの有効利用につながる。
【００１２】
【発明の実施の形態】
図１、図２及び図３に本発明の一実施形態を示す。図１は照明付表示ダイヤル装置の分解斜視図、図２は照明付表示ダイヤル装置の図１のII−II線に沿った断面図、図３は、照明付表示ダイヤル装置の図１のIII−III線に沿った断面図の一部である。
【００１３】
本発明の照明付表示ダイヤル装置は、中心にレリーズボタン１０を有する固定盤２０と、この固定盤２０を固定する台座５０と、この台座５０と固定盤２０の間に回動操作可能に支持される回転操作部材と、台座５０を固定する回路基板６０とを備え、回転操作部材は、発光部材４２ａを有するコード板４０を裏面に固定している。
【００１４】
レリーズボタン１０は、略円板状の押圧操作部１１と、押圧操作部１１の裏面の中心から回路基板６０に向けて突設した軸部１２と、押圧操作部１１の外周下端から回路基板６０に向けて突設した二本の係止爪１３を有している。係止爪１３の先端には、外方に向けて突出する爪部１３ａが形成されている。軸部１２の周囲には、レリーズボタン１０を突出方向へ付勢する圧縮ばね１４が装着されている。
【００１５】
固定盤２０は、表示板２１と穴あき盤２２とからなり、表示板２１は環状で、回転操作部材の回転中心を中心とする同一円周上に透光性材料により表示記号２１ａ〜２１ｆが形成されている。穴あき盤２２は、表示板２１の表示記号２１ａ〜２１ｆに対応する位置に開口部２２ａ〜２２ｆを有している。穴あき盤２２の裏面には、穴あき盤２２の外径よりも小径な外径で、底部２４を有する筒状体２３が形成されている。筒状体２３の底部２４には、中心にレリーズボタン１０の軸部１２を挿通する軸穴２５が穿設されている。軸穴の両脇には、レリーズボタン１０の係止爪１３を挿通する挿通孔２６が穿設されている。
【００１６】
コード板４０は環状で、表面の偏心位置に発光部材として単体で複数色の照明光を発するＬＥＤ４２ａが一つ固定されている。裏面には回転操作部材の回転中心を中心とする同心円状のコード部４１が形成されている。
【００１７】
回転操作部材３０は、底部３１を有し、固定盤２０の外径より大径な内径を有する略円筒状である。底部３１の中心には、穴あき盤の筒状体２３が挿通する開口３２が穿設されている。回転操作部材３０の裏面には、所定間隔で表示記号２１ａ〜２１ｆに対応するクリック穴３４が穿設されている。また回転操作部材３０には、コード板４０の表面に固定されたＬＥＤ４２ａに対応する位置に透光部３３が穿設されている。
【００１８】
台座５０は回転操作部材３０の外径より小径な外径を有し、上端が蓋部５１によって塞がれた略円筒状であり、その下端付近の側面から半径方向の二カ所にねじ止め部５２が突設されている。蓋部５１の中心には、レリーズボタン１０の軸部１２を挿通する軸穴５３が穿設されている。軸穴５３の両脇には、レリーズボタン１０の係止爪１３を挿通する挿通孔５４が穿設されている。また蓋部５１には、軸穴５３から半径方向に向けて広がる略扇形のブラシ突出穴部５５が二カ所穿設されている。蓋部５１のブラシ突出穴部５５を有さない領域には、回転操作部材３０のクリック穴３４に対応する任意の一カ所に、クリックボール５６を収納する、クリックボール収納穴部５７が穿設されている。クリックボール収納穴部５７の下面には、蓋部５１にねじ５９をねじ込んでクリックばね５８が固定されている。
【００１９】
回路基板６０上には、レリーズボタン１０の軸部１２に対応する位置にスイッチ装置６１が設置されている。スイッチ装置６１の両脇には、回転位置検知用ブラシ６２と給電用ブラシ６３がそれぞれ設置されている。ブラシ６２、６３は、台座の蓋部５１に穿設されたブラシ突出穴部５５ａ、５５ｂからコード板４０側へ、それぞれ突出する。
【００２０】
本実施例の照明付表示ダイヤル装置は、以下のように組み立てられる。レリーズボタン１０は押圧操作部１１の裏面と、固定盤２０の筒状体２３の底部２４で圧縮ばね１４を圧縮しながら係止爪１３を、内側に撓めて固定盤２０の挿通孔２６に挿通する。これと同時に軸部１２を、固定盤２０の軸穴２５と台座５０の軸穴５３にそれぞれ挿通する。係止爪１３は、下端の爪部１３ａが固定盤２０の挿通孔２６に挿通された後、弾性により外側に開く。押圧操作部１１と筒状体２３の間で圧縮ばねが圧縮されているため、押圧操作部１１は、常時上方に移動付勢されている。このため係止爪１３の爪部１３ａは、筒状体２３の下端に当接した位置で抜け止めされる。レリーズボタン１０は、この状態で固定盤に装着される。
【００２１】
回転操作部材３０は、台座５０のクリックボール収納穴部５７と、回転操作部材３０のクリック穴３４の任意の一カ所との間にクリックボール５６が納まるように位置決めして台座５０に乗せる。レリーズボタン１０を装着した固定盤２０は、筒状体２３を回転操作部材３０の開口３２に挿通して回転操作部材３０に乗せる。固定盤２０の筒状体２３の底部２４に台座５０の蓋部５１の裏面からねじ２７をねじ込んで固定盤２０を台座５０に固定する。固定盤２０との間に回転操作部材３０を回動操作可能に挟み込んだ台座５０は、回路基板６０に設置された回転位置検知用ブラシ６２と給電用ブラシ６３をブラシ突出穴部５５ａ、５５ｂからコード板側へそれぞれ突出するよう位置決めして、ねじ止め部５２から回路基板６０にねじ６４をねじ込み回路基板６０に固定する。
【００２２】
以上の構成により、回転操作部材３０は、ＬＥＤ４２ａとコード部４１とを備えたコード板４０を有し、レリーズボタンを装着した固定盤２０と台座５０の間に回動操作可能に支持される。回転操作部材３０を回動操作すると、回転操作部材３０に固定されたＬＥＤ４２ａが表示記号２１ａ〜２１ｆの背面を移動する。これと同時に、回転操作部材３０の裏面に固定されたコード板４０のコード部４１が回路基板６０上に配置された回転位置検知ブラシ６２と給電ブラシ６３にそれぞれ摺接する。レリーズボタン１０の押圧操作部１１を押圧操作するとレリーズボタン１０の軸部１２が回路基板６０上に設置したスイッチ装置６１に接触し、測光・測距回路とレリーズ回路がＯＮする。
【００２３】
クリックばね５８、クリックボール収納穴部５７、クリックボール５６及び、クリック穴３４からなるクリックストップ機構は、回転操作部材を回動操作すると回転操作部材に固定したＬＥＤ４２ａが、それぞれの表示記号２１ａ〜２１ｆの背面にクリックストップするよう形成されている。選択した一つの表示記号２１ａ〜２１ｆの背面にＬＥＤ４２ａがクリックストップすると、回転位置検知ブラシ６２によってＬＥＤ４２ａが停止した位置を検知する。回転位置検知ブラシ６２からの信号をカメラ内の制御回路が検知し、給電ブラシ６３を介して対応するＬＥＤ４２ａを発光させる。
【００２４】
ＬＥＤ４２ａが発した照明光は、回転操作部材３０の透光穴３３と固定盤２０の開口部２２ａ〜２２ｆを通過して、選択した一つの表示記号２１ａ〜２１ｆのみを背面から照明する。表示板２１の表示記号２１ａ〜２１ｆは透光性材料で形成されているため照明光を透過する。このため背面からの照明で表示記号２１ａ〜２１ｆを発光表示することが可能となる。
【００２５】
ＬＥＤ４２ａは、回転操作部材３０に固定されているため、回転操作部材３０を回動操作することによって、全ての表示記号２１ａ〜２１ｆの背面に移動することができる。このため単一のＬＥＤ４２ａで全ての表示記号２１ａ〜２１ｆを照明することが可能となる。また単体で複数色を発色するＬＥＤ４２ａを使用する事によって、選択する表示記号２１ａ〜２１ｆに応じて照明光の色を変えることが可能となり識別性と視認性が向上する。
【００２６】
なお、上記実施例では、本発明の照明付表示ダイヤル装置をカメラに適用して説明したが、本発明はこの実施例に限定されず、ダイヤル機構を用いた他の機器にも用いることができる。また上記実施例では、押しボタンスイッチ装置にレリーズボタンスイッチ装置を適用し、発光部材にＬＥＤを適用して説明したが、本発明はこれに限定されない。
【００２７】
【発明の効果】
以上のように本発明によれば、コストダウンにつながる構成の簡素化がなされた照明付表示ダイヤル装置を得ることができる。
【図面の簡単な説明】
【図１】  本発明の照明付表示ダイヤル装置の一実施形態の分解斜視図である。
【図２】  組み立てた状態の図１のII−II線に沿った断面図である。
【図３】  組み立てた状態の図１のIII−III線に沿った断面図の一部である。
【符号の説明】
１０  レリーズボタン
１１  押圧操作部
１２  軸部
１３  係止爪
１３ａ  爪部
１４  圧縮ばね
２０  固定盤
２１  表示板
２１ａ〜２１ｆ  絵文字
２２  穴あき盤
２２ａ〜２２ｆ  開口部
２３  筒状体
２４  底部
２５  軸穴
２６  挿通孔
２７  ねじ
３０  回転操作部材
３１  底部
３２  開口
３３  透光穴
３４  クリック穴
４０  コード板
４１  コード部
４２ａ  ＬＥＤ（発光部材）
５０  台座
５１  蓋部
５２  ねじ止め部
５３  軸穴
５４  挿通孔
５５  ブラシ突出穴部（５５ａ、５５ｂ）
５６  クリックボール
５７  クリックボール収納穴部
５８  クリックばね
５９  ねじ
６０  回路基板
６１  スイッチ装置
６２  回転位置検知用ブラシ
６３  給電用ブラシ
６４  ねじ
【図１】
0004454123.tif 000002
【図２】
0004454123.tif 000003
【図３】
0004454123.tif 000004